(57)【要約】【課題】挿入口の蓋を照明する光源をオンオフするスイッチを必要としない挿入口の蓋照明装置を提供する。【解決手段】挿入口１ａを開閉するを蓋７を筐体内部に配置された光源３により照明する照明装置であつて、上端部５ａが自重で操作パネル１前面側に倒れるシート５を操作パネル１の内部に操作パネル前面と平行に配置し、前記蓋７が挿入口を閉じたときに前記蓋７に形成されたボス７ａによりシートの上端部５ａが前記光源３から前記蓋７に至る光路から退避するように押し上げられ、前記蓋７が挿入口１ａを開いたとき前記シート５の上端部５ａが前記光源３から前記蓋７に至る光路を遮るように倒れるように構成した。【選択図】図１
2009205778.tif 000002
【特許請求の範囲】
【請求項１】
挿入口を開閉する蓋を筐体内部に配置された光源により照明する照明装置であつて、上部が操作パネル前面側に倒れるシートを操作パネルの内部に操作パネル前面と略平行に配置し、前記蓋が挿入口を閉じたときに前記蓋に形成されたボスによりシートの上部が前記光源から前記蓋に至る光路から退避するように押し上げられ、前記蓋が挿入口を開いたとき前記シートの上部が前記光源から前記蓋に至る光路を遮るように倒れるように構成した挿入口の蓋照明装置。
【請求項２】
前記シートの上部は押し上げられ状態で前記挿入口を閉じるように構成した請求項１の挿入口の蓋照明装置。
【発明の詳細な説明】
【技術分野】
【０００１】
この発明は電子機器に係わり、特に、その記録媒体挿入口の蓋照明装置に関する。
【背景技術】
【０００２】
特開２０００−１００１４５号公報に開示された記録媒体の挿入口１は、エスカッションパネル２に形成されており、この挿入口１にダストカバー３が開閉可能に備えられている。ダストカバー３には光透過部材からなる乳白色の表示文字５が設けられている。
【０００３】
エスカッションパネル２の背後には基板７が配置され、この基板７に２つのランプ８およびリーフスイッチ９が実装されている。ランプ８はダストカバー３を背面下方から照明する。ダストカバー３の開動作によりダストカバー３の突起６がリーフスイッチ９を作動させる。このリーフスイッチ９の動作により、挿入口１がダストカバー３で閉じられているときは、ランプ８がダストカバー３を照明し、挿入口１が開かれているときは、ランプ８が消灯されて挿入口１の内部構造は見えない構造となっている。
【０００４】
操作パネルの背後にメンブレンシートを備えたプリント基板が配置される電子機器の記録媒体挿入口の蓋照明装置の例を図４により説明する。図４は従来の記録媒体挿入口の蓋照明装置の例を示す段差を有する断面の断面図である。
【０００５】
図４に示す記録媒体挿入口１ａを備えた操作パネル１の背後にはプリント基板２が配置されている。プリント基板２にはメンブレンシート８、ＬＥＤ３およびスイッチ９が実装されている。また、操作パネル１にはプリズム４が固定されている。
【０００６】
記録媒体挿入口１ａを開閉する蓋７は透光性合成樹脂で作られており、裏面にボス７ａとパータンや文字で形成された表示部７ｂが設けられている。図４に蓋７が記録媒体挿入口１ａを閉じた状態を示している。この状態でスイッチ９がボス７ａにより作動されてオンとなりＬＥＤ３が点灯する。
【０００７】
ＬＥＤ３から出射する光は矢印で示すようにプリズム４で反射されて表示部７ｂを照射する。そして、表示部７ｂの表示が蓋７の表側に現れ記録媒体挿入口１ａが明瞭に判別できるようになる。なお、図４の断面は段差状となっおり、ボス７ａはＬＥＤ３から表示部７ｂへの光路を避けた位置に配置されている。また、蓋７を外すとＬＥＤ３の電源がオフとなる。
【０００８】
上記した従来の記録媒体挿入口の蓋照明装置では、蓋を照明する光源をスイッチでオンオフするために、部品点数や組立て工数が増大するという問題があった。また、蓋が記録媒体挿入口を閉じた状態でも車載用機器の場合、蓋７の振動によりスイッチが作動してＬＥＤ３が点滅したり、スイッチが破損する恐れがあった。また、プリント基板にスイッチを実装するための余分のスペースが必要となるという問題があった。
【０００９】
特に、上記車載用機器が海外向けの車載用ナビゲーション装置である場合は、地図データとしてHDD やDVD が用いられることが多く、これらの記録媒体は地図を更新するために頻繁に蓋を外して取り替えられるのでスイッチが破損する恐れが大きくなるという問題がある。
【特許文献１】特開２０００−１００１４５号公報、段落００１０〜段落００１４、図１〜図６
【発明の開示】
【発明が解決しようとする課題】
【００１０】
この発明は上記した点に鑑みてなされたものであって、その目的とするところは、記録媒体挿入口の蓋を照明する光源をオンオフするスイッチを必要としない記録媒体挿入口の蓋照明装置を提供することにある。
【課題を解決するための手段】
【００１１】
この発明の挿入口の蓋照明装置は、挿入口を開閉する蓋を筐体内部に配置された光源により照明する照明装置であつて、上部が操作パネル前面側に倒れるシートを操作パネルの内部に操作パネル前面と略平行に配置し、前記蓋が挿入口を閉じたときに前記蓋に形成されたボスによりシートの上部が前記光源から前記蓋に至る光路から退避するように押し上げられ、前記蓋が挿入口を開いたとき前記シートの上部が前記光源から前記蓋に至る光路を遮るように倒れるように構成したものである。
【００１２】
また、前記挿入口の蓋照明装置において、前記シートの上部は押し上げられ状態で前記挿入口を閉じるように構成したものである。
【発明の効果】
【００１３】
この発明の記録媒体挿入口の蓋照明装置によれば、記録媒体挿入口を開閉する蓋を照明する光源をオンオフするスイッチがないため、部品点数や組立て工数が削減され、また、プリント基板に余分のスペースを必要としない。
【発明を実施するための最良の形態】
【００１４】
以下この発明を実施するための最良の形態を実施例に即して説明する。
【実施例１】
【００１５】
図１この発明の実施例１である記録媒体挿入口の蓋照明装置を示す段差を有する断面の断面図、図２は同記録媒体挿入口の蓋照明装置の他の状態を示す段差を有する断面の断面図である。
【００１６】
図１に示す示す記録媒体挿入口１ａを備えた操作パネル１の背後にはプリント基板２が配置されている。プリント基板２にはメンブレンシート５およびＬＥＤ３が実装されている。メンブレンシート５の上端部５ａはプリント基板２から離れており、自重または弾性で前側に倒れる形状となっている。また、操作パネル１にはプリズム４が固定されている。
【００１７】
記録媒体挿入口１ａを開閉する蓋７は透光性合成樹脂で作られており、裏面にボス７ａとパータンや文字で形成された表示部７ｂが設けられている。図１は蓋７が記録媒体挿入口１ａを閉じた状態を示している。この状態でメンブレンシート５の上端部５ａは蓋７のボス７ａにより押し上げられている。
【００１８】
ＬＥＤ３から出射する光は矢印で示すようにプリズム４で反射されて表示部７ｂを照射する。このとき、メンブレンシート５の上端部５ａはＬＥＤ３から表示部７ｂへの光路を避けた位置にある。そして、７ｂの表示が蓋７の表側に現れ記録媒体挿入口１ａが明瞭に判別できるようになる。なお、図１の断面は段差状となっおり、ボス７ａはＬＥＤ３から表示部７ｂへの光路を避けた位置に配置されている。
【００１９】
図２は図１に示す蓋７が記録媒体挿入口１ａから外された状態を示しており、このときはメンブレンシート５の上端部５ａが自重やメンブレンシート５の弾力により前側に倒れており、ＬＥＤ３から表示部７ｂへの光路がメンブレンシート５の上端部５ａで遮られ、挿入口１ａの内部構造は見えない。なお、メンブレンシート５の上端部５ａの先端をボス７ａのガイドのためにアール形状またはテーパ形状としてもよい。
【００２０】
このように、ＬＥＤ３をオンオフするスイッチが用いられていないため、部品点数や組立て工数が削減され、また、プリント基板に余分のスペースを必要としない。そして、既存のメンブレンシートを利用するだけであるため、余分のコストが必要となることもない。
【実施例２】
【００２１】
図３はこの発明の実施例２である記録媒体挿入口の蓋照明装置を示す段差を有する断面の断面図である。この例ではメンブレンシート６の上端部６ａは実施例１のものより長く上側に延びている。他の構成は実施例１と同様であり、詳細な説明を省略する。
【００２２】
この例では、メンブレンシート６の上端部６ａが長いので、蓋１０の上部およびメンブレンシート６の上端部６ａが図３における右方向に傾斜するように機器が配置される場合、メンブレンシート６の上端部６ａは自重では蓋１０方向に倒れないが、メンブレンシート６の弾力により倒れるようにすることができる。
【００２３】
図３に示すように、蓋１０が記録媒体挿入口１ａを閉じているときは、蓋１０のボス１０ａがメンブレンシート６の上端部６ａを押し上げおり、メンブレンシート６の上端部６ａはＬＥＤ３から表示部１０ｂへの光路を避けた位置にある。
【００２４】
そして、蓋１０の表示部１０ｂがＬＥＤ３により照明されるが、さらに、メンブレンシート６の上端部６ａが記録媒体挿入口１ａを閉じて、記録媒体挿入口１ａから内部へゴミが入るのを防止することができる。
【図面の簡単な説明】
【００２５】
【図１】この発明の実施例１である記録媒体挿入口の蓋照明装置を示す段差を有する断面の断面図である。
【図２】同記録媒体挿入口の蓋照明装置の他の状態を示す段差を有する断面の断面図である。
【図３】この発明の実施例２である記録媒体挿入口の蓋照明装置を示す段差を有する断面の断面図である。
【図４】従来の記録媒体挿入口の蓋照明装置の例を示す段差を有する断面の断面図である。
【符号の説明】
【００２６】
１  操作パネル、１ａ  記録媒体挿入口
２  プリント基板
３  ＬＥＤ
４  プリズム
５  メンブレンシート、５ａ  上端部
６  メンブレンシート、６ａ  上端部
７  蓋、７ａ  ボス、７ｂ  表示部
８  メンブレンシート
９  スイッチ
１０  蓋、１０ａ  ボス、１０ｂ  表示部
【図１】
2009205778.tif 000003
【図２】
2009205778.tif 000004
【図３】
2009205778.tif 000005
【図４】
2009205778.tif 000006